(57)【特許請求の範囲】
【請求項１】
ワゴン等の移動家具の下面に設けられた操作レバーにて、移動家具の下面に設けた車輪をロック及びロック解除するように選択的に操作可能な移動家具のロック装置において、
前記車輪の側面に形成された係止部に対して係脱するストッパー部を備えて移動家具の下面に対して進退動及び左右移動可能なロック体と、移動家具の下面側に前後移動可能に支持されて移動家具の前面に突出する把手部を備えた操作レバーとからなり、前記ロック体をそのストッパー部が前記係止部に係止する方向に付勢する一方、前記ロック体には、前記ストッパー部が前記係止部にロックする位置とロック解除状態を保持する解除保持位置とに案内するガイド手段と、操作レバーの前向き移動に連動してロック体を前向き移動させる連動部とを備えたことを特徴とする移動家具のロック装置。
【請求項２】
前記連動部は、操作レバーにおける把手部の前面に当接するように構成され、前記連動部に隣接したロック体には、当該ロック体の横移動のための操作部を備えたことを特徴とする請求項１に記載の移動家具のロック装置。
【請求項３】
ワゴン等の移動家具の下面に設けられた操作レバーにて、移動家具の下面に設けた車輪をロック及びロック解除するように選択的に操作可能な移動家具のロック装置において、
移動家具の下面側の取付け部材に支軸を介して水平回動可能に枢支した操作レバーの後端には、前記車輪の側面に形成された係止部に対して係脱するストッパー部を備え、前記支軸よりも操作レバーの後端側部位と前記取付け部材における前記支軸より前方部位とに跨がって付勢ばねを装架し、且つ操作レバーをロック位置及びロック解除保持位置に回動操作するとき、前記付勢ばねの軸線が前記支軸を越えるように構成したことを特徴とする移動家具のロック装置。
【発明の詳細な説明】
【０００１】
【発明の属する技術分野】
本発明は、脇机やファリングキャビネットなどの各種ワゴンや、キャビネットやサーバ用コンピュータを搭載して床面に配置する載置用台板等の移動家具に適用されるもので、詳しくは、移動家具の下面に取り付けられた車輪の回転を任意に停止させることができるロック装置に関するものである。
【０００２】
【従来の技術】
床面に対して移動可能なワゴンでは、たとえば引出しを開閉操作した時などに、ワゴン全体が不用意に前後方向に移動することがあり、このような不具合をなくすために、例えば実開平６−５２５６８号公報等に開示されているように、車輪をロックする装置を備えたものがある。
【０００３】
前記先行技術では、ワゴン本体の下面側に、前部車輪の側部には回転軸から放射状に突設したギヤ状係合部に対して係脱するストッパー部を備えたロックプレートを前後方向に移動可能に取り付ける一方、ワゴン本体下面の前端部には、押し操作を繰り返すことで操作杆が突出、引き込み動作を繰り返すプッシュラッチの操作ボタンを臨ませて設け、前記操作杆を前記ロックプレートに連結する一方、前記ロックプレートをロック解除方向に付勢する付勢バネを設けた構成が提案されている。
【０００４】
【発明が解決しようとする課題】
しかしながら、前記構成では、ロック解除操作時には、プッシュラッチによる操作杆の引き込み力を付勢バネによるロック解除方向への付勢力より大きくなるように設定しなければならず、ロック及びロック解除の操作が不確実になりやすいという問題があった。
【０００５】
本発明は、前記の問題を解消した移動家具のロック装置を提供することを目的とするものである。
【０００６】
【課題を解決するための手段】
前記目的を達成するため、請求項１に記載の発明の移動家具のロック装置は、ワゴン等の移動家具の下面に設けられた操作レバーにて、移動家具の下面に設けた車輪をロック及びロック解除するように選択的に操作可能な移動家具のロック装置において、前記車輪の側面に形成された係止部に対して係脱するストッパー部を備えて移動家具の下面に対して進退動及び左右移動可能なロック体と、移動家具の下面側に前後移動可能に支持されて移動家具の前面に突出する把手部を備えた操作レバーとからなり、前記ロック体をそのストッパー部が前記係止部に係止する方向に付勢する一方、前記ロック体には、前記ストッパー部が前記係止部にロックする位置とロック解除状態を保持する解除保持位置とに案内するガイド手段と、操作レバーの前向き移動に連動してロック体を前向き移動させる連動部とを備えたものである。
【０００７】
また、請求項２に記載の発明は、請求項１に記載の移動家具のロック装置において、前記連動部は、操作レバーにおける把手部の前面に当接するように構成され、前記連動部に隣接したロック体には、当該ロック体の横移動のための操作部を備えたものである。
【０００８】
そして、請求項３に記載の発明の移動家具のロック装置は、ワゴン等の移動家具の下面に設けられた操作レバーにて、移動家具の下面に設けた車輪をロック及びロック解除するように選択的に操作可能な移動家具のロック装置において、移動家具の下面側の取付け部材に支軸を介して水平回動可能に枢支した操作レバーの後端には、前記車輪の側面に形成された係止部に対して係脱するストッパー部を備え、前記支軸よりも操作レバーの後端側部位と前記取付け部材における前記支軸より前方部位とに跨がって付勢ばねを装架し、且つ操作レバーをロック位置及びロック解除保持位置に回動操作するとき、前記付勢ばねの軸線が前記支軸を越えるように構成したものである。
【０００９】
【発明の実施の形態】
以下、本発明を具体化した実施形態を図面に基づいて説明する。図１はサーバ用コンピュータ２を載置して床面に置く偏平な移動台車１の斜視図であり、図２は移動台車１の要部下面図、図３は図２の III−III 線矢視拡大断面図、図４は本発明のロック装置の要部の斜視図である。
【００１０】
金属製の上面板１ａの４側を下向きに屈曲させてなる移動台車１の下面には、３つの前部車輪３、並びに左右一対の後部キャスタ４が備えられている。なお、後部キャスタ４は、図６に示すように、コロ４ａの軸４ｂの左右両側を支持する断面下向き略コ字型の支持体５の上面板５ａを縦ピン６を介して取付けブラケット７の先端平板部７ａに回動自在に連結する。そして、取付けブラケット７７は前記先端平板部７ａから段部７ｂを介して平板基部７ｃを備え、該平板基部７ｃの端部には上向き掛かり爪８が一体的に形成されている。一方、移動台車１の下面側に固設した支持枠９の下面には、前記掛かり爪８を係合する取付け穴１０が穿設されており、図６のように、取付け穴１０に掛かり爪８を係合した状態で、平板基部７ｃと支持枠９とを１本の取付けビス１１にて固着すると、取付けブラケット７が支持枠９にガタツキなく強固に固定でき、コロ４ａは左右両側に首振りしてキャスタ４の左右向きを簡単に変更させることができる。
【００１１】
次に、前記移動家具としての移動台車１のロック装置２０の構成を図２〜図５に基づいて説明する。図２〜図４において、移動台車１の上面板１ａの下面にスポット溶接等にて固定された取付け部材としての下向き略コ字状のブラケット２１には、各前部車輪３が車軸２２を介して回転可能に支持されている。なお、各前部車輪３には、大径コロ部３ａの左右両側にギヤ状（側面視羽車状）の係止部３ｂが一体的に設けられている。なお、１本の断面矩形もしくは６角形の車軸２２を３つの前部車輪３に共通させ、一体的に回転・停止できるように構成しても良い。
【００１２】
また、ブラケット２１には、後述するロック体２３を前後移動及び左右移動可能に支持するための取付用の水平部２１ｂが前向きに折曲形成されている。他方、左右に長い板状のロック体２３の平板部２３ａには平面視にて略Ｌ字状のガイド孔２４が左右に隔てて少なくとも２箇所穿設され、大径頭付きのガイドピン２５を各ガイド孔２４に挿通したのち、前記ブラケット２１の水平部２１ａに固着し、これにより、ロック体２３を脱落不能で、且つ前後移動及び左右移動可能に支持されて、ロック体２３の後縁に後向きに一体的に突設した係止爪状のストッパー部２６が前記各前部車輪３の係止部３ａに嵌まって回転を止めるロック位置と、前記ストッパー部２６が係止部３ａから抜け出して前部車輪３の回転を許容するロック解除保持位置とに選択的に案内するガイド手段とする。
【００１３】
即ち、ロック体２３が図２及び図４の矢印Ｙ′方向に移動して、前記ガイド孔２４のうち前後長溝部２４ａの前端側に、前記ガイドピン２５が位置するときには（図２及び図３参照）、ロック位置となる。他方、ロック体２３が図２及び図４の矢印Ｙ方向に移動して後、Ｘ方向に移動することにより、前記ガイド孔２４のうち前後長孔部２４ａの後端側に連設する横溝部２４ｂ側にガイドピン２５が位置すると（図５参照）、ロック解除保持位置となる。なお、横溝部２４ｂの端部には、ガイドピン２５が嵌まり込むための位置決め凹所２４ｃが形成されていることが好ましい。
【００１４】
前記ロック体２３は、ブラケット２１との間に引張りばねからなる付勢ばね２７を装架し、ロック体２３を移動台車１の後方、つまり、ストッパー部２６が常時前記各前部車輪３の係止部３ａに嵌まる方向に付勢されている。
【００１５】
一対の足部２８ｂ，２８ｂの前端間に把手部２８ａが有するように屈曲形成された平面視略コ字型の操作レバー２８は、移動台車１の前端に把手部２８ａが突出するように一対の足部２８ｂ，２８ｂを案内孔３３に挿通する。各足部２８ｂには前記把手部２８ａが移動台車１の前端に接近するように付勢する付勢バネ２９を備える。符号３０は前記付勢バネ２９の一端を固定する止めワッシャである。
【００１６】
前記ロック体２３の前端には、移動台車１の下面側から前方に延びる連結片３１の前端に上向きに突出して前記操作レバー２８の把手部２８ａの前面に当接し得る連動部３２が備えられている。これにより、操作レバー２８の把手部２８ａを作業者が手で前方向（図２及び図４の矢印Ｙ方向）に引っ張ると、当該把手部２８ａの前面で連動部３２を前方に押して、ロック体２３を前方に移動させるように連動することができる。また、この連動部３２に隣接した位置には、作業者の指が当接して、ロック体２３を図２及び図４のＸ方向に横移動させるための操作部３４を備える。
【００１７】
この構成によれば、操作レバー２８の把手部２８ａを握って前方に引っ張ると、前記連動部３２を介してロック体２３を自動的に前方に移動させることができるから、ロック体２３の後端のストッパー部２６が車輪３の係止部３ｂから自動的に外れてロック解除されるので、別段にロック解除の操作を実行することなく、移動台車１の前方への移動操作が至極簡単にできるという効果を奏するのである。また、ロック体２３を横移動させてロック解除保持位置にセットした状態では、操作レバー２８を移動台車１の前端方向に押す操作を実行しても、前記ロック解除保持のセット状態が不変であるから、操作レバー２８により移動台車１を後方向に押す操作もできるという効果を奏する。
【００１８】
なお、１つの前部車輪３に対して１つの操作レバー２８及び１つのロック体２３とからなるロック装置２０として構成しても良い。また、これらのロック装置２０は図７に示す移動家具としての脇机のようなワゴン４０の下面に備えるようにしても良い。この図７において、図２〜図５に示した実施形態と同一もしくは相当する構成部材にはそれぞれ同一符号を付して、それらの詳しい説明を省略する。
【００１９】
図８及び図９は、移動家具のロック装置の別の実施形態であって、取付け部材としての断面下向きコ字型のブラケット４１には、その上面板４１ａの前後部位で下向きに屈曲させたのち、前後に延びる下水平片４１ｂ，４１ｃを、移動台車１の下面前端側にビス４２、４２を介して固定される。ブラケット４１の上面板４１ａの一側から下向きに屈曲させた支持片４１ｄには、複数の前部車輪３を支持するように挿通させた断面６角状の車軸４３を回転可能に軸支する。ブラケット４１の上面板４１ａの上面側には、水平面内に沿ってロック設定位置ＬＯとロック解錠保持位置ＬＦとに回動変位可能なロック操作レバー４４の中途部が回動枢支点としての支軸４５を介して水平自在に枢支されている。
【００２０】
図９において、ロック操作レバー４４の後端部４４ａ寄り部位（支軸４５より後方部位）には、上面板４１ａに穿設された孔４７から下向きに屈曲させた後、ブラケット４１内にて横向きに延びる平爪板状のストッパー部４６が形成され、ロック操作レバー４４の後端部側とブラケット４１の前端側との間には、平面視において、（図９参照）前記支軸４５を前後に跨ぐように、付勢ばね２８が装架されている。なお、ロック操作レバー４４の前端の把手部４４ｂは、移動台車１の前端の挿通孔４９を介して前方に突出している。この把手部４４ｂは、ロック操作レバー４４の前端を前記挿通孔４９から前方に突出させたのちに、ロック操作レバー４４の前端に差し込んで固着するものである。
【００２１】
従って、前記ロック操作レバー４４の先端把手部４４ｂ側が、ロック位置ＬＯからロック解除保持位置ＬＦに変移させるとき、およびその逆方向に変移させるとき、付勢ばね４８の両端を結ぶ軸線が回動枢支点としての支軸４５の支点越えにより、ロック操作レバー４４を、その先端把手部４４ｂが移動させた方向に付勢し、もって、ロック操作レバー４４の後端側のストッパー部４６が、前記車輪３における係止部３ｂに係止して車輪３の回転を阻止するロック位置と（図９の二点鎖線状態参照）、ストッパー部４６が係止部３ｂから外れて車輪３の回転を許容するロック解除保持位置とに選択的に位置保持されるのである（図９の実線状態参照）。
【００２２】
本実施形態のロック装置も図７に示す移動可能なワゴンに適用することができることはいうまでもない。
【００２３】
【発明の効果】
以上に詳述したように、請求項１に記載の発明の移動家具のロック装置は、ワゴン等の移動家具の下面に設けられた操作レバーにて、移動家具の下面に設けた車輪をロック及びロック解除するように選択的に操作可能な移動家具のロック装置において、前記車輪の側面に形成された係止部に対して係脱するストッパー部を備えて移動家具の下面に対して進退動及び左右移動可能なロック体と、移動家具の下面側に前後移動可能に支持されて移動家具の前面に突出する把手部を備えた操作レバーとからなり、前記ロック体をそのストッパー部が前記係止部に係止する方向に付勢する一方、前記ロック体には、前記ストッパー部が前記係止部にロックする位置とロック解除状態を保持する解除保持位置とに案内するガイド手段と、操作レバーの前向き移動に連動してロック体を前向き移動させる連動部とを備えたものである。
【００２４】
この構成によれば、操作レバー前方に引っ張ると、前記連動部を介してロック体を自動的に前方に移動させることができるから、ロック体のストッパー部が車輪の係止部から自動的に外れてロック解除され、操作レバーを前方に移動させない状態では、付勢力により、ロック体が後退してそのストッパー部が車輪の係止部に係止してロックできるというように、車輪の回転のロック及びロック解除の操作を簡単且つ確実に選択して実行することができるという効果を奏する。
【００２５】
また、請求項２に記載の発明は、請求項１に記載の移動家具のロック装置において、前記連動部は、操作レバーにおける把手部の前面に当接するように構成され、前記連動部に隣接したロック体には、当該ロック体の横移動のための操作部を備えたものである。
【００２６】
従って、操作レバーの把手部を握って前方に引っ張ると、前記連動部を介してロック体を自動的に前方に移動させることができるから、ロック体のストッパー部が車輪の係止部から自動的に外れてロック解除されるので、別段にロック解除の操作を実行することなく、移動体の前方への移動操作が至極簡単にできるという効果を奏するのである。また、ロック体が前方に移動した状態で当該ロック体をガイド手段を介して横移動させると、ロック解除保持位置にできる。
【００２７】
また、ロック体を横移動させてロック解除保持位置にセットした状態では、操作レバーを移動体の前端方向に押す操作を実行しても、前記ロック解除保持のセット状態が不変であるから、操作レバーにより移動体を後方向に押す操作もできるという効果を奏する。
【００２８】
請求項３に記載の発明によれば、ワゴン等の移動家具の下面に設けられた操作レバーにて、移動家具の下面に設けた車輪をロック及びロック解除するように選択的に操作可能な移動家具のロック装置において、移動家具の下面側の取付け部材に支軸を介して水平回動可能に枢支した操作レバーの後端には、前記車輪の側面に形成された係止部に対して係脱するストッパー部を備え、前記支軸よりも操作レバーの後端側部位と前記取付け部材における前記支軸より前方部位とに跨がって付勢ばねを装架し、且つ操作レバーをロック位置及びロック解除保持位置に回動操作するとき、前記付勢ばねの軸線が前記支軸を越えるように構成したものである。
【００２９】
この構成によれば、車輪の回転のロック及びロック解除の操作を、操作レバーを水平に回動するだけで、簡単且つ確実に選択して実行することができるという効果を奏する。また、構成部品が操作レバーと、これを水平回動自在に装着するための取付け部材と、付勢ばねだけであるので、組立て作業が容易となると共に、部品点数が削減されて簡素になるという効果を奏する。
【図面の簡単な説明】
【図１】本発明に係るロック装置が適用された移動台車の概略斜視図である。
【図２】ロック装置の下面図である。
【図３】図２の III−III 線矢視側面図である。
【図４】ロック装置の要部部品の分解斜視図である。
【図５】ロック解除保持形態の下面図である。
【図６】後部キャスタの側面断面図である。
【図７】本発明に係るロック装置が適用されたワゴンの概略斜視図である。
【図８】本発明の他の実施形態の側断面図である。
【図９】本発明の他の実施形態の下面図である。
【符号の説明】
１        移動台車
２        コンピュータ
３        前部車輪
３ｂ      係止部
２０        ロック装置
２１        ブラケット
２３        ロック体
２４        ガイド孔
２５        ガイドピン
２６        ストッパー部
２７        付勢ばね
２８        操作レバー
２８ａ      把手部
３２        連動部
３４        操作部
４１        取付け部材としてのブラケット
４４        ロック操作レバー
４５        支軸
４６        ストッパー部
４８        付勢ばね
【図１】
0003615037.tif 000002
【図２】
0003615037.tif 000003
【図３】
0003615037.tif 000004
【図４】
0003615037.tif 000005
【図５】
0003615037.tif 000006
【図６】
0003615037.tif 000007
【図７】
0003615037.tif 000008
【図８】
0003615037.tif 000009
【図９】
0003615037.tif 000010